(57)【要約】【課題】照明手段の製造コストと消費電力の点から経済的に有利であり、拡大視の際に目を必要以上に疲れさせることなく、拡大視野全域の十分な照明がなされる照明手段を備えた拡大鏡支持装置を提供する。【解決手段】拡大視用ルーペまたはレンズを対象物の拡大視に便利な態様に把持するクリップに拡大視野を照明する照明手段が設けられた拡大鏡支持装置に於いて、照明手段はグリップの位置や傾きを変えることなく投光角を可変に調節できるようになっている。【選択図】図１
2010277052.tif 000002
【特許請求の範囲】
【請求項１】
拡大視用ルーペまたはレンズを把持するクリップと、前記グリップを該グリップにより把持された前記拡大視用ルーペまたはレンズによる対象物の拡大視に便利な態様に支持するグリップ支持手段と、前記グリップにより把持された拡大視用ルーペまたはレンズの拡大視野を照明するよう前記グリップに設けられた照明手段とを有する拡大鏡支持装置にして、前記照明手段は前記グリップ支持手段による前記グリップの位置や傾きを変えることなく投光角を可変に調節できるようになっていることを特徴とする拡大鏡支持装置。
【請求項２】
前記照明手段は回動中心軸線の周りに回動可能なロータリーハウジングと、該ロータリーハウジングに取り付けられた発光要素とを含んでいることを特徴とする請求項１に記載の拡大鏡支持装置。
【請求項３】
前記ロータリーハウジングの回動中心軸線は拡大鏡支持装置の使用時に水平となる軸線であることを特徴とする請求項２に記載の拡大鏡支持装置。
【請求項４】
前記ロータリーハウジングはその一端部に指先にて摘まれるための摘み部を備えていることを特徴とする請求項２または３に記載の拡大鏡支持装置。
【請求項５】
前記ロータリーハウジングは前記回動中心軸線の回りに所定の角度範囲内にて自由に回動するが複数個の異なる回動角度位置に安定的に且つ容易に克服可能に仮係止されるようになっていることを特徴とする請求項２、３または４に記載の拡大鏡支持装置。
【発明の詳細な説明】
【技術分野】
【０００１】
本発明は、拡大視用ルーペまたはレンズを支持する拡大鏡支持装置であって、特に拡大視用ルーペまたはレンズを経て拡大視される対象物を照明する照明手段を備えた拡大鏡支持装置に係る。
【背景技術】
【０００２】
読書や小物等の拡大視に便利な態様に拡大視用ルーペまたはレンズを支持する拡大鏡支持装置であって、拡大視用ルーペまたはレンズを経て拡大視される対象物を照明する照明手段を備えた拡大鏡支持装置として、本願出願人と同一人は、下記の特開２００４−３０９６３３として公開された特許出願に於いて、拡大視用ルーペまたはレンズを取り外し可能に把持するグリップ部の下面に蛍光灯やＬＥＤの如き光源を設けたものを提案した。この先の特許出願に当って出願人が背景技術となる先行技術文献として知っていたもの（特許文献２〜９）、および同出願の審査に於いて審査官により引用された先行技術文献（特許文献１０〜１９）は以下の通りである。
【先行技術文献】
【特許文献】
【０００３】
【特許文献１】特開２００４−３０９６３３
【特許文献２】実開平２−４４７１１
【特許文献３】実開平５−６４２０
【特許文献４】特開平８−３３８９５５
【特許文献５】特開平１１−８４２６６
【特許文献６】特開平１０−１０４５５３
【特許文献７】実用新案登録３００２５１９
【特許文献８】特開２０００−３５５４５
【特許文献９】特開２００２−１５０８０２
【特許文献１０】実開昭６１-６６８１１
【特許文献１１】実開昭６２-１２１１６
【特許文献１２】実用新案登録３０５０９９１
【特許文献１３】実用新案登録３０６１８６４
【特許文献１４】特開平１１−２２１１２１
【特許文献１５】実用新案登録３０２７９７１
【特許文献１６】特開平１０−７８１９４
【特許文献１７】特開２０００−２７１１４８
【特許文献１８】特開２００２−１４８５２７
【特許文献１９】特開２００２−３４３１０６
【発明の概要】
【発明が解決しようとする課題】
【０００４】
上記の特開２００４−３０９６３３にて提案されている拡大鏡支持装置に於いては、支柱の上端に取り付けられて拡大視用ルーペまたはレンズを読書や小物等の拡大視に便利な態様に把持するグリップの下面に拡大視される対象物を照明する蛍光灯やＬＥＤよりなる照明手段が設けられている。このように拡大視用ルーペまたはレンズを読書や小物等の拡大視に便利な態様に把持するグリップの下面に照明手段が設けられれば、拡大視用ルーペまたはレンズを通してみる視野を阻害することなく、拡大視用ルーペまたはレンズの視野領域を、視線の方向に対し大きくは傾かない方向の光線にて最適に照明することができる。
【０００５】
この場合、照明手段による照明は、視野内の視点となり得ると予想される全領域をくまなく照らすものであることが望まれるが、個々の視点のすべてに於いて十分な照度が得られるようにするためには、高出力の光源を必要とする。これは、照明手段の製造コストと消費電力の点から経済的負担が大きいだけでなく、視野全体がまぶしくなり、目を必要以上に疲れさせることになる。
【０００６】
本発明は、上記の事情に鑑み、照明手段の製造コストと消費電力の点から経済的に有利であるだけでなく、拡大視の際に目を必要以上に疲れさせることなく、拡大視野全域の十分な照明がなされるよう改良された照明手段を備えた拡大鏡支持装置を提供することを課題としている。
【課題を解決するための手段】
【０００７】
上記の課題を解決するものとして、本発明は、拡大視用ルーペまたはレンズを把持するクリップと、前記グリップを該グリップにより把持された前記拡大視用ルーペまたはレンズによる対象物の拡大視に便利な態様に支持するグリップ支持手段と、前記グリップにより把持された拡大視用ルーペまたはレンズの拡大視野を照明するよう前記グリップに設けられた照明手段とを有する拡大鏡支持装置にして、前記照明手段は前記グリップ支持手段による前記グリップの位置や傾きを変えることなく投光角を可変に調節できるようになっていることを特徴とする拡大鏡支持装置を提案するものである。
【０００８】
前記照明手段は回動中心軸線の周りに回動可能なロータリーハウジングと、該ロータリーハウジングに取り付けられた発光要素とを含んでいてよい。
【０００９】
前記ロータリーハウジングの回動中心軸線は拡大鏡支持装置の使用時に水平となる軸線であってよい。
【００１０】
前記ロータリーハウジングはその一端部に指先にて摘まれるための摘み部を備えていてよい。
【００１１】
前記ロータリーハウジングは前記回動中心軸線の回りに所定の角度範囲内にて自由に回動するが複数個の異なる回動角度位置に安定的に且つ容易に克服可能に仮係止されるようになっていてよい。これは「クリック止め」（click-stop）として周知の手法の応用である。
【発明の効果】
【００１２】
人が態々拡大視用ルーペまたはレンズを通して書物や小物等を拡大視する場合、人は、通常、対象物全体を漫然と見るのではなく、人は対象物の一部に視力を集中させ、視点に於いて対象物を視るものである。従って、この場合、対象物全体を見るにしても、それは視点の移動による全体視であり、各一時に実質的に視ているのは対象物の一部である。そこで、上記の如く、拡大視用ルーペまたはレンズを把持するクリップと、前記グリップを該グリップにより把持された前記拡大視用ルーペまたはレンズによる拡大視対象物の拡大視に便利な態様に支持するグリップ支持手段と、前記グリップにより把持された拡大視用ルーペまたはレンズの拡大視野を照明するよう前記グリップに設けられた照明手段とを有する拡大鏡支持装置に於いて、前記照明手段が前記グリップ支持手段による前記グリップの位置や傾きを変えることなく投光角を可変に調節できるようになっていれば、照明手段の光源が発する光線の拡散度を小さくし、拡大視される書物や小物等の対象物が一度に照明される面積を小さくし、小出力で経済的な発光要素を用い、視野全体から反射されてくる光線の総量を少なくして目に不必要な疲れを起こさせないようにしつつ、実際に読み取るべき視点に於ける照度を十分高くし、視野の移動に応じて速やかに照明を追従させることができる。
【００１３】
前記照明手段が回動中心軸線の周りに回動可能なロータリーハウジングと、該ロータリーハウジングに取り付けられた発光要素とを含んでいれば、かかるロータリーハウジングに発光要素を組み込むことにより、ロータリーハウジングの回動中心軸線周りの回動により視野へ向けた照明光線の投射角を変え、視野領域内にて集中照射される部分を容易に変更することができる。
【００１４】
前記ロータリーハウジングの回動中心軸線が拡大鏡支持装置の使用時に水平となる軸線であれば、ロータリーハウジングを回動中心軸線の周りに回動させることにより、視野領域内にて照明光を集中照射される部分を視野領域の一端から他端へ向けて平行移動させることができ、特に文書を拡大して読み取る時に読取り行の進行に伴って集中照明される行を順次ずらして行くのに便利である。
【００１５】
前記ロータリーハウジングがその一端部に指先にて摘まれるための摘み部を備えていれば、指先にてロータリーハウジングを回動させることが容易となる。
【００１６】
前記ロータリーハウジングが回動中心軸線の回りに所定の角度範囲内にて自由に回動するが複数個の異なる回動角度位置に安定的に且つ容易に克服可能に仮係止されるようになっていれば、集中照明部を視野の一端から他端へ向けて移動させる際にそれを適当に設定された各位置にて小休止するように段階的且つリズミカルに行うことが容易になる。
【図面の簡単な説明】
【００１７】
【図１】本発明による拡大鏡支持装置の一つの実施例をそのグリップにより拡大視用ルーペが把持された状態にて示す側面図であり、図中、拡大視用ルーペの近傍に離して示されているのは、拡大視用ルーペに代えて拡大鏡支持装置のグリップに取り付けられてよい拡大視用レンズの一例を示す側面図である。
【図２】図１に示す拡大鏡支持装置の正面図である。
【発明を実施するための形態】
【００１８】
図１に於いて、１０は拡大視用ルーペ、１２は拡大視用レンズであり、いずれも本発明による拡大鏡支持装置１４のグリップ１６により把持される要領にて拡大鏡支持装置１４に取り付けられるようになっている。グリップ１６は基部１８とフラップ２０とを含んでいる。フラップ２０は、枢軸２２により基部１８に枢動可能に取り付けられ、図には示されていないばねにより図示の如く基部１８上に重なり合う位置へ向けて弾力的に付勢されており、基部１８との間に拡大視用ルーペ１０または拡大視用レンズ１２の一縁を挟んでこれを把持するようになっている。
【００１９】
フラップ２０を枢軸２２の周りに上記のばねのばね力に抗して図１にて時計回り方向に回動させ、フラップ２０を基部１８上に重なり合う位置より開く動作は、フラップ２０の一端に枢軸２４により枢着されたレバー２６を操作することによって行われる。レバー２６は図１に実線により示されている位置以上にフラップ２０に対し枢軸２４の周りに図１にて時計回り方向に回動することはできないようになっており、レバー２６を図１に実線により示されている以上に時計回り方向に回動させれば、フラップ２０は枢軸２２の回りに図１にて時計回り方向に回動され、基部１８との間に挟んだ拡大視用ルーペまたはレンズを解放する。レバー２６は図１に実線により示されている位置よりフラップ２０に対し枢軸２４の周りに図１に破線により示されている位置まで反時計回り方向に回動することができ、破線により示されている位置に回動されたときには、レバー２６の下端が基部１８の上面に当接し、フラップ２０を基部１８上に閉じ合わされた位置にロックするようになっている。
【００２０】
グリップ１６は基部１８の一端部にて回動継手２８により支柱３０の上端に接続されており、支柱３０はその下端にて回動継手３２により台座３４に接続されている。回動継手３２の構造は図２によりよく示されている如く、摘み部３６を指先にて摘まんで右回しすることによりねじが締め付けられて回動が阻止され、摘み部３６を指先にて摘まんで左回しすることによりねじが弛んで回動が許されるようになる周知の構造のものであり、回動継手２８もこれと同様の構造のものである。尚、グリップの基部１８の回動継手２８への連結部には、回動継手２８やそれを支持する支柱３０に対してグリップ１６が回動軸線３８の周りに回動することを許す軸受構造が組み込まれており、これによってグリップ１６は図２による正面図で見て適宜左右に傾動できるようになっている。回動軸線３８の周りのグリップ１６の傾動と、回動継手２８および３２の回動調節により、グリップ１６の位置および傾きは広い範囲にわたって変更可能である。尚、支柱３０は曲げ形状を可変に調整できる可撓性の支柱とされてもよい。
【００２１】
以上の構造は、以下に説明する照明手段の構造を除き、上記の特開２００４−３０９６３３にて提案されている拡大鏡支持装置と実質的に異ならない既に公知の構造である。
【００２２】
グリップ１６には、その基部１８の下面の位置に、ロータリーハウジング４０と、その内部に組み込まれて光線放射窓４２より光線を放射する蛍光灯またはＬＥＤよりなる光源を備えた照明手段４４が設けられており、ロータリーハウジング４０は、図には詳細に示されていない軸受手段により、基部１８に対し回動中心軸線４６の周りに回動可能である。ロータリーハウジング４０はその一端部に指先にてつままれるに適した摘み部４８を形成されており、ここを指先にてつまんで回動されることにより、光線放射窓４２の光線放射中心線がａ方向を向く位置と光線放射中心線がｇ方向を向く位置との間に自由に回動するようなっている。更に、図示の例では、ロータリーハウジング４０の回動は、光線放射中心線がｂ、ｃ、ｄ、ｅ、ｆの方向を向く位置に「クリック止め」（click-stop）として周知の手法により安定的に且つ容易に克服可能に仮係止されるようになっている。
【００２３】
光線放射窓４２より放射される光線の拡がりは、図２の正面図で見た広がり角がαの如く大きく、ロータリーハウジング４０の回動により光線の放射方向を変えることができる図１の側面図でみた広がり角がβの如く小さくされている。図示の例では、広がり角αは視野内の視点となり得ると予想される全領域に対応する大きさとされているが、広がり角βは視野内の視点となり得ると予想される全領域の一部に対応する大きさとされている。尚、上記の通りグリップ１６は回動軸線３８の周りに傾動することができるので、広がり角αが視野内の視点となり得ると予想される全領域に対応する大きさより小さくされていても、グリップ１６を回動軸線３８の周りに適宜傾動させることによりこれを補うことができる。
【００２４】
以上の如く、拡大鏡支持装置が、そのクリップ１６の位置や傾きをそのままにして、ロータリーハウジング４０の如き指先でつまんで回せる装置の指先による回動操作によって照明光線の放射方向を容易に変えることができるように構成されていることにより、照明手段付き拡大鏡支持装置の製造コストと消費電力を下げ、且つ書物や小物等の対象物の拡大視に当って目を必要以上に疲れさせることなく、読み取るべき部分は対象物全体にわたって十分に照明されるようにすることができる。
【００２５】
以上に於いては本発明を一つの実施の形態について詳細に説明したが、かかる施の形態について本発明の範囲内にて種々の変更が可能であることは当業者にとって明らかであろう。
【符号の説明】
【００２６】
１０…拡大視用ルーペ、１２…拡大視用レンズ、１４…拡大鏡支持装置、１６…グリップ、１８…グリップの基部、２０…グリップのフラップ、２２，２４…枢軸、２６…レバー、２８…回動継手、３０…支柱、３２…回動継手、３４…台座、３６…摘み部、３８…回動軸線、４０…ロータリーハウジング、４２…光線放射窓、４４…照明手段、４６…回動中心軸線、４８…摘み部
【図１】
2010277052.tif 000003
【図２】
2010277052.tif 000004